(57)【要約】【課題】  オペレータが受光モジュールの指向方向を手動で４方向に自由に定めことができるようにする。信号線のねじれなどに起因する断線のおそれをなくする。【解決手段】  受光モジュール２と、受光モジュール２を偏心箇所に有する操作つまみ３と、４箇所に固定側電極７１を備える配線基板７と、回転可動板４と、仕切り板５と、ストッパ部材６と、仕切り板５に設けられて回転可動板４の突片４１を挿抜可能な４箇所の凹所５３と、仕切り板５の下側のスペースＳと、仕切り板５の裏側の位置決めリブ５４と、トップカバー１１に形成されて操作つまみ３を上方に突出させている孔部１５とを有する。位置決めリブ５４によって突片４１がスペースＳ内で位置決めされたときに、受光モジュール２の電極２１が配線基板７の固定側電極７１〜７４のうちのいずれかに接触する。【選択図】        図１１
2006317850.tif 000002
【特許請求の範囲】
【請求項１】
リモートコントローラの制御用光信号を受ける受光モジュールと、
この受光モジュールを偏心箇所に有して手動回転操作される操作つまみと、
この操作つまみの回転方向等角度おきの４箇所に配備されて上記受光モジュールに設けられた電極が選択的に接触可能な固定側電極を備える配線基板と、
受光モジュールを有する上記操作つまみに具備されて、受光モジュールの電極が貫通してその下側に延び出た回転可動板と、
この回転可動板とこの回転可動板の下側に配備された上記配線基板との間に配備されて上記回転可動板が上下方向で挿抜可能な開口を有する仕切り板と、
上記回転可動板に具備されて外向きに突き出た突片、及び、上記仕切り板の上記開口の等角度おきの周囲４箇所に形成されて上記回転可動板の突片が上下方向で挿抜可能な凹所と、
上記配線基板を上方に向けてばね力により常時付勢し、受光モジュールの上記電極がその配線基板の上記固定側電極に接触したときに、その配線基板を上記ばね力に抗して下降させてそのばね力と受光モジュールを有する上記操作つまみの重量とをバランスさせるばね体と、
当該プロジェクタのトップカバーに形成されて上記操作つまみを上方に突出させていると共に、上記回転可動板に当接して上記操作つまみの抜出しを阻止する孔縁を備える孔部と、を有し、
上記操作つまみの手動回転操作を通じて上記受光モジュールが前後左右４方向のうちのいずれかの方向に向けられたときに、回転可動板の突片がいずれかの上記凹所に挿入されるのに伴ってその回転可動板が上記仕切り板の開口に挿入されて受光モジュールの上記電極が上記配線基板の４箇所の固定側電極のうちのいずれかに接触し、かつ、回転可動板の突片が上記仕切り板の上に載架されることによって受光モジュールの上記電極が上記配線基板からの浮き上がり位置に保持されるように構成されていることを特徴とするプロジェクタ。
【請求項２】
リモートコントローラの制御用光信号を受ける受光モジュールと、
この受光モジュールを偏心箇所に有して手動回転操作される操作つまみと、
この操作つまみの回転方向等角度おきの４箇所に配備されて上記受光モジュールに設けられた電極が選択的に接触可能な固定側電極を備える配線基板と、
受光モジュールを有する上記操作つまみに具備されて、受光モジュールの電極が貫通してその下側に延び出た回転可動板と、
この回転可動板とこの回転可動板の下側の上記配線基板との間に配備されて、上記回転可動板が上下方向で挿抜可能な開口を有する仕切り板と、
この仕切り板と上記配線基板との間に配備されて、ばね体により上向きに常時弾発付勢された上記配線基板に当接してその配線基板の上限位置を規制するストッパ部材と、
上記回転可動板に具備されて外向きに突き出た突片、及び、上記仕切り板の上記開口の等角度おきの周囲４箇所に形成されて上記回転可動板の突片が上下方向で挿抜可能な凹所と、
上記仕切り板の下側に形成されて上記仕切り板の凹所に挿通させた上記突片の回転を許容するスペースと、
上記仕切り板の裏側に具備されて、上記スペース内で回転される上記突片に当接してその突片を位置決めする位置決めリブと、
当該プロジェクタのトップカバーに形成されて上記操作つまみを上方に突出させていると共に、上記回転可動板に当接して上記操作つまみの抜出しを阻止する孔縁を備える孔部と、を有し、
上記回転可動板の突片がいずれかの上記凹所に挿入されたときにその回転可動板が上記仕切り板の開口に挿入されて受光モジュールの上記電極が上記配線基板の板面に接触し、かつ、回転可動板の突片が上記仕切り板の上に載架されることによって受光モジュールの上記電極が上記配線基板からの浮き上がり位置に保持されるように構成されていると共に、上記位置決めリブによって上記突片が位置決めされたときに、上記受光モジュールの電極が上記配線基板を上記ばね体のばね力に抗して押し下げた状態でその電極が上記配線基板の４箇所の固定側電極のうちのいずれかに接触し、かつ、上記ばね体のばね力により上記突片が上記ストッパ部材に押し付けられるように構成されていることを特徴とするプロジェクタ。
【請求項３】
リモートコントローラの制御用光信号を受ける受光モジュールと、
この受光モジュールを偏心箇所に有して手動回転操作される操作つまみと、この操作つまみの回転方向等角度おきの４箇所に配備されて上記受光モジュールに設けられた電極が選択的に接触可能な固定側電極を備える配線基板とを有することを特徴とするプロジェクタ。
【請求項４】
上記操作つまみの手動回転操作を通じて上記受光モジュールが前後左右４方向のうちのいずれかの方向に向けられたときに、その受光モジュールに具備されている電極が上記配線基板に設けられた４箇所の固定側電極のうちのいずれかに接触するように構成されている請求項３に記載したプロジェクタ。
【請求項５】
受光モジュールを有する上記操作つまみに、受光モジュールの電極が貫通してその下側に延び出た回転可動板が備わり、この回転可動板とこの回転可動板の下側に配備された上記配線基板との間に、回転可動板が上下方向で挿抜可能な開口を有する仕切り板が配備され、上記回転可動板に外向きに突き出た突片が備わっていると共に、上記仕切り板の上記開口の周囲４箇所に、上記回転可動板の突片が上下方向で挿抜可能な凹所が形成されていて、回転可動板の突片がいずれかの上記凹所に挿入されたときにその回転可動板が上記仕切り板の開口に挿入されて受光モジュールの上記電極が上記配線基板の４箇所の固定側電極のうちのいずれかに接触し、かつ、回転可動板の突片が上記仕切り板の上に載架されることによって受光モジュールの上記電極が上記配線基板からの浮き上がり位置に保持されるように構成されている請求項３又は請求項４に記載したプロジェクタ。
【請求項６】
上記配線基板がばね力によって常時上方に向けて付勢されていて、受光モジュールの上記電極がその配線基板の上記固定側電極に接触したときに、その配線基板が上記ばね力に抗して下降してそのばね力と受光モジュールを有する上記操作つまみの重量とがバランスするように構成されている請求項５に記載したプロジェクタ。
【請求項７】
上記操作つまみが当該プロジェクタのトップカバーに形成された孔部に回転自在に配備されてそのトップカバーの上方に突出している請求項５又は請求項６に記載したプロジェクタ。
【請求項８】
受光モジュールを有する上記操作つまみに、受光モジュールの電極が貫通してその下側に延び出た回転可動板が備わり、この回転可動板とこの回転可動板の下側に配備された上記配線基板との間に、回転可動板が上下方向で挿抜可能な開口を有する仕切り板と、ばね体により上向きに常時弾発付勢された上記配線基板に当接してその配線基板の上限位置を規制するストッパ部材とが配備され、
上記回転可動板に外向きに突き出た突片が備わっていると共に、上記仕切り板の上記開口の周囲４箇所に、上記回転可動板の突片が上下方向で挿抜可能な凹所が形成されて、回転可動板の突片がいずれかの上記凹所に挿入されたときにその回転可動板が上記仕切り板の開口に挿入されて受光モジュールの上記電極が上記配線基板の板面に接触し、かつ、回転可動板の突片が上記仕切り板の上に載架されることによって受光モジュールの上記電極が上記配線基板からの浮き上がり位置に保持されるように構成され、
上記仕切り板の下側に、上記仕切り板の凹所に挿通させた上記突片の回転を許容するスペースが形成されている請求項３又は請求項４に記載したプロジェクタ。
【請求項９】
上記仕切り板の裏側に、上記スペース内で回転される上記突片に当接してその突片を位置決めする位置決めリブが備わり、その位置決めリブによって上記突片が位置決めされたときに、上記受光モジュールの電極が上記配線基板を上記ばね体のばね力に抗して押し下げた状態でその電極が上記配線基板の４箇所の固定側電極のうちのいずれかに接触し、かつ、上記ばね体のばね力により上記回転可動板が上記ストッパ部材に押し付けられるように構成されている請求項８に記載したプロジェクタ。
【請求項１０】
上記操作つまみが当該プロジェクタのトップカバーに形成された孔部に回転自在に配備されてそのトップカバーの上方に突出している請求項８又は請求項９に記載したプロジェクタ。
【発明の詳細な説明】
【技術分野】
【０００１】
本発明は、プロジェクタ、特に、リモートコントローラの制御用光信号を受ける受光モジュールを備えたプロジェクタに関する。
【背景技術】
【０００２】
プロジェクタでは、リモートコントローラで出力した制御用光信号を受光モジュールで受光させて投写画像の拡大や縮小といった必要な動作を行わせるようになっている。このような従来のプロジェクタにおいて、受光モジュールがプロジェクタのケースの前方を指向して取り付けられているものでは、オペレータが、プロジェクタによって反射型スクリーンに映し出された映像を見ながらリモートコントローラの制御用光信号（赤外線）をその反射型スクリーンで反射させて受光モジュールに到達させている（たとえば特許文献１参照）。そして、この特許文献１によって提案されている技術では、リモートコントローラをプロジェクタに着脱可能としている。また、他の従来のプロジェクタでは、受光部を備えるプロジェクタの投写レンズの前に反射ミラーを配備し、リモコン送信機（リモートコントローラ）から発射した赤外光をその反射ミラーで反射させて受光部に導くことによって遠隔制御を可能としている（たとえば特許文献２参照）。
【０００３】
特許文献１や特許文献２によって提案されている各従来例は、リモートコントローラで出力した制御用光信号を反射させて受光モジュールに到達させる方式を採用しているといえる。
【０００４】
これに対し、プロジェクタに設けられている受光部を起倒可能とすることによってその指向方向を前方と後方との２方向から選べるようにしたものや（たとえば特開平９−９３７５号公報参照）、リモコン送信機から送信される赤外線信号を受信する受振ユニットの受光部を受光のために旋回させるようにしたもの（たとえば特開平７−１９９３５２号公報参照）などもある。
【０００５】
特許文献３や特許文献４によって提案されている各従来例は、リモートコントローラの制御用光信号を受光モジュールに直接に到達させる方式を採用しているといえる。
【特許文献１】実開昭６４−３８３３号公報
【特許文献２】特開平６−３８０７０号公報
【特許文献３】特開平９−９３７５号公報
【特許文献４】特開平７−１９９３５２号公報
【発明の開示】
【発明が解決しようとする課題】
【０００６】
しかしながら、特許文献１や特許文献２に見られるように制御用光信号を反射させて受光モジュールに到達させる方式では、光信号強度が反射によって減衰することが考えられるために、受光モジュールからリモートコントローラまでの距離を長くしたい場合、すなわち、オペレータがプロジェクタから遠く離れて制御を行いたい場合に、受光モジュールに直接に制御用光信号を到達させる方式に比べてその離間距離が短く抑えられてしまうおそれがある。
【０００７】
また、特許文献３のように受光部を起倒可能として指向方向を前方と後方との２方向から選べるようにしたものでは、プロジェクタの左右の側方にオペレータが位置してリモートコントローラを操作する場合に、その制御用光信号が受光モジュールに確実に到達しにくいという不都合がある。さらに、特許文献４に示されたようなものでは、受光部を受光のために旋回させるようにしてあるので、どの方向からでも直接に受光モジュールに制御用光信号を到達させることができるけれども、この特許文献４のものでは、受光部を旋回させるための駆動回路や制御回路が必要になってその構成が複雑になることに加え、受光部と配線基板との両方を回転させるものであるために、コネクタに接続された信号線にねじれが生じて断線につながりやすいというおそれや、受光部を回転できる範囲が制限されてしまうというおそれもある。
【０００８】
本発明は以上の状況や問題に鑑みてなされたものであり、受光モジュールの指向方向を手動で前後左右といった等角度おきの４箇所に自由に定めことができ、しかも、その指向方向をどの方向に定めた場合でもリモートコントローラの制御用光信号を直接にその受光モジュールに到達させることが可能でありながら、信号線のねじれなどに起因する断線のおそれのないプロジェクタを提供することを目的とする。
【課題を解決するための手段】
【０００９】
本発明に係るプロジェクタは、リモートコントローラの制御用光信号を受ける受光モジュールと、この受光モジュールを偏心箇所に有して手動回転操作される操作つまみと、この操作つまみの回転方向等角度おきの４箇所に配備されて上記受光モジュールに設けられた電極が選択的に接触可能な固定側電極を備える配線基板とを有する、というものである。
【００１０】
この構成てあれば、操作つまみを手動で回転操作することによって受光モジュールの指向方向を互いに直交する４方向のうちの１つに定めることが可能であり、しかも、そのようにして指向方向を定めた受光モジュールの電極を、信号線を介することなく配線基板の固定側電極に接触させることが可能である。そのため、プロジェクタの周囲のどの方向からでもリモートコントローラの制御用光信号を受光モジュールに直接に到達させることが可能になり、しかも、受光モジュールに到達する光信号強度が、受光モジュールの指向方向に関係なくほゞ一定に保たれて動作信頼性が向上する。また、受光モジュールを回転させた後にその受光モジュールの電極を配線基板の固定側電極に接触させるものであるので、受光モジュールを回転させても信号線がねじれて断線するといった事態の起こる余地がない。
【００１１】
以上の作用は、上記操作つまみの手動回転操作を通じて上記受光モジュールが前後左右４方向のうちのいずれかの方向に向けられたときに、その受光モジュールに具備されている電極が上記配線基板に設けられた４箇所の固定側電極のうちのいずれかに接触するように構成されているものによっても発揮される。
【００１２】
本発明では、受光モジュールを有する上記操作つまみに、受光モジュールの電極が貫通してその下側に延び出た回転可動板が備わり、この回転可動板とこの回転可動板の下側に配備された上記配線基板との間に、回転可動板が上下方向で挿抜可能な開口を有する仕切り板が配備され、上記回転可動板に外向きに突き出た突片が備わっていると共に、上記仕切り板の上記開口の周囲４箇所に、上記回転可動板の突片が上下方向で挿抜可能な凹所が形成されていて、回転可動板の突片がいずれかの上記凹所に挿入されたときにその回転可動板が上記仕切り板の開口に挿入されて受光モジュールの上記電極が上記配線基板の４箇所の固定側電極のうちのいずれかに接触し、かつ、回転可動板の突片が上記仕切り板の上に載架されることによって受光モジュールの上記電極が上記配線基板からの浮き上がり位置に保持されるように構成されている、という構成を採用することが可能である。
【００１３】
これによれば、受光モジュールを回転させても受光モジュールの電極が配線基板の固定側電極と擦れ合うことがないので、それらの電極や固定側電極にスライド機能を具備させる必要がなく、しかも、スライド機能を具備させなくてもそれらの電極や固定側電極を傷めることがないという利点がある。また、開口及び凹所を有する仕切り板と突片を有する回転可動板との共働によって、指向方向が定められた受光モジュールの電極が確実に配線基板の固定側電極に接触することになるために、簡単な構成でありながら操作の確実性を高めることが可能になる。
【００１４】
本発明では、上記配線基板がばね力によって常時上方に向けて付勢されていて、受光モジュールの上記電極がその配線基板の上記固定側電極に接触したときに、その配線基板が上記ばね力に抗して下降してそのばね力と受光モジュールを有する上記操作つまみの重量とがバランスするように構成されていることが望ましい。これによれば、操作つまみが人為的に押し下げられたときにその押下げ力が配線基板の下降によって吸収されるために、受光モジュールの電極や配線基板の固定側電極に無理な力が加わりにくい。
【００１５】
本発明では、上記操作つまみが当該プロジェクタのトップカバーに形成された孔部に回転自在に配備されてそのトップカバーの上方に突出していることが望ましい。これによれば、プロジェクタを定位置に設置した後、画像をスクリーンに映し出すのに先立ってオペレータが操作つまみを手動で回転操作しやすい。
【００１６】
本発明では、受光モジュールを有する上記操作つまみに、受光モジュールの電極が貫通してその下側に延び出た回転可動板が備わり、この回転可動板とこの回転可動板の下側に配備された上記配線基板との間に、回転可動板が上下方向で挿抜可能な開口を有する仕切り板と、ばね体により上向きに常時弾発付勢された上記配線基板に当接してその配線基板の上限位置を規制するストッパ部材とが配備され、上記回転可動板に外向きに突き出た突片が備わっていると共に、上記仕切り板の上記開口の周囲４箇所に、上記回転可動板の突片が上下方向で挿抜可能な凹所が形成されて、回転可動板の突片がいずれかの上記凹所に挿入されたときにその回転可動板が上記仕切り板の開口に挿入されて受光モジュールの上記電極が上記配線基板の板面に接触し、かつ、回転可動板の突片が上記仕切り板の上に載架されることによって受光モジュールの上記電極が上記配線基板からの浮き上がり位置に保持されるように構成され、上記仕切り板の下側に、上記仕切り板の凹所に挿通させた上記突片の回転を許容するスペースが形成されている、という構成を採用することも可能である。
【００１７】
本発明では、上記仕切り板の裏側に、上記スペース内で回転される上記突片に当接してその突片を位置決めする位置決めリブが備わり、その位置決めリブによって上記突片が位置決めされたときに、上記受光モジュールの電極が上記配線基板を上記ばね体のばね力に抗して押し下げた状態でその電極が上記配線基板の４箇所の固定側電極のうちのいずれかに接触し、かつ、上記ばね体のばね力により上記回転可動板が上記ストッパ部材に押し付けられるように構成されていることが望ましい。この構成を採用すると、位置決めリブによって回転可動板を具備する操作つまみの回転角度を規制させることができるために、回転可動板の突片を仕切り板の凹所に位置合わせしやすくなって操作性が改善されるだけでなく、受光モジュールの電極が配線基板の固定側電極に接触しているときには、その接触箇所にばね体のばね力による接触圧が加えられて高い接触安定性が得られる。
【００１８】
本発明では、上記操作つまみが当該プロジェクタのトップカバーに形成された孔部に回転自在に配備されてそのトップカバーの上方に突出していることが望ましい。これによれば、プロジェクタを定位置に設置した後、画像をスクリーンに映し出すのに先立ってオペレータが操作つまみを手動で回転操作しやすい。
【００１９】
本発明に係るプロジェクタは、リモートコントローラの制御用光信号を受ける受光モジュールと、この受光モジュールを偏心箇所に有して手動回転操作される操作つまみと、この操作つまみの回転方向等角度おきの４箇所に配備されて上記受光モジュールに設けられた電極が選択的に接触可能な固定側電極を備える配線基板と、受光モジュールを有する上記操作つまみに具備されて、受光モジュールの電極が貫通してその下側に延び出た回転可動板と、この回転可動板とこの回転可動板の下側に配備された上記配線基板との間に配備されて上記回転可動板が上下方向で挿抜可能な開口を有する仕切り板と、上記回転可動板に具備されて外向きに突き出た突片、及び、上記仕切り板の上記開口の等角度おきの周囲４箇所に形成されて上記回転可動板の突片が上下方向で挿抜可能な凹所と、上記配線基板を上方に向けてばね力により常時付勢し、受光モジュールの上記電極がその配線基板の上記固定側電極に接触したときに、その配線基板を上記ばね力に抗して下降させてそのばね力と受光モジュールを有する上記操作つまみの重量とをバランスさせるばね体と、当該プロジェクタのトップカバーに形成されて上記操作つまみを上方に突出させていると共に、上記回転可動板に当接して上記操作つまみの抜出しを阻止する孔縁を備える孔部と、を有し、上記操作つまみの手動回転操作を通じて上記受光モジュールが前後左右４方向のうちのいずれかの方向に向けられたときに、回転可動板の突片がいずれかの上記凹所に挿入されるのに伴ってその回転可動板が上記仕切り板の開口に挿入されて受光モジュールの上記電極が上記配線基板の４箇所の固定側電極のうちのいずれかに接触し、かつ、回転可動板の突片が上記仕切り板の上に載架されることによって受光モジュールの上記電極が上記配線基板からの浮き上がり位置に保持されるように構成されている、という構成を採用することによっていっそう具体化される。この発明の作用などは後述する実施形態を参照して詳細に説明する。
【００２０】
また、本発明に係るプロジェクタは、リモートコントローラの制御用光信号を受ける受光モジュールと、この受光モジュールを偏心箇所に有して手動回転操作される操作つまみと、この操作つまみの回転方向等角度おきの４箇所に配備されて上記受光モジュールに設けられた電極が選択的に接触可能な固定側電極を備える配線基板と、受光モジュールを有する上記操作つまみに具備されて、受光モジュールの電極が貫通してその下側に延び出た回転可動板と、この回転可動板とこの回転可動板の下側の上記配線基板との間に配備されて、上記回転可動板が上下方向で挿抜可能な開口を有する仕切り板と、この仕切り板と上記配線基板との間に配備されて、ばね体により上向きに常時弾発付勢された上記配線基板に当接してその配線基板の上限位置を規制するストッパ部材と、上記回転可動板に具備されて外向きに突き出た突片、及び、上記仕切り板の上記開口の等角度おきの周囲４箇所に形成されて上記回転可動板の突片が上下方向で挿抜可能な凹所と、上記仕切り板の下側に形成されて上記仕切り板の凹所に挿通させた上記突片の回転を許容するスペースと、上記仕切り板の裏側に具備されて、上記スペース内で回転される上記突片に当接してその突片を位置決めする位置決めリブと、当該プロジェクタのトップカバーに形成されて上記操作つまみを上方に突出させていると共に、上記回転可動板に当接して上記操作つまみの抜出しを阻止する孔縁を備える孔部と、を有し、上記回転可動板の突片がいずれかの上記凹所に挿入されたときにその回転可動板が上記仕切り板の開口に挿入されて受光モジュールの上記電極が上記配線基板の板面に接触し、かつ、回転可動板の突片が上記仕切り板の上に載架されることによって受光モジュールの上記電極が上記配線基板からの浮き上がり位置に保持されるように構成されていると共に、上記位置決めリブによって上記突片が位置決めされたときに、上記受光モジュールの電極が上記配線基板を上記ばね体のばね力に抗して押し下げた状態でその電極が上記配線基板の４箇所の固定側電極のうちのいずれかに接触し、かつ、上記ばね体のばね力により上記突片が上記ストッパ部材に押し付けられるように構成されている、という構成を採用することによってもいっそう具体化される。この発明についても、後述する他の実施形態を参照して詳細に説明する。
【発明の効果】
【００２１】
以上のように、本発明に係るプロジェクタによると、オペレータが受光モジュールの指向方向を手動で前後左右といった等角度おきの４箇所に自由に定めことができるために、受光モジュールの指向方向をどの方向に定めた場合でもリモートコントローラの制御用光信号を直接にその受光モジュールに到達させることが可能である。したがって、オペレータは、プロジェクタに対してどの方向に離れた位置からでもリモートコントローラで直接に受光モジュールに制御用光信号を直接に到達させることが可能になってその操作性が改善され、しかも、受光モジュールを旋回させるための駆動回路などを構成する必要がないだけでなく、信号線のねじれなどに起因する断線のおそれがないという優れた作用が奏される。
【発明を実施するための最良の形態】
【００２２】
図１は本発明の実施形態に係るプロジェクタの概略外観図、図２は受光部構成部材の分解斜視図、図３は受光モジュール２の正面図、図４は回転可動板４の平面図、図５は仕切り板５の平面図、図６は配線基板７の固定側電極７１〜７４のパターン図、図７は受光部の待機モードでの概略断面図、図８は受光部の動作モードでの概略断面図、図９は作用説明図である。
【００２３】
図１のように、このプロジェクタは、トップカバー１１やボトムカバー１２、フロントパネル１３などを合わせることによって形成された箱形の筐体１に、光学系要素やその他の必要部品を内蔵することによって構成されていて、その筐体１の前面に投写用の鏡筒１４が配備されている。また、トップカバー１１に形成された円形の孔部１５を通して、受光モジュール２を備えたダイヤル型の操作つまみ３がそのトップカバー１１の上方に突出している。
【００２４】
図３に示した受光モジュール２は、出力用電極２２とグランド用電極２３と電源用電極２４とでなる３本のピン型電極２１を備えていると共に、その上部前面に受光窓２５を備えていて、その受光窓２５の前方から発信された制御用光信号を受光モジュール２が受けるようになっている。また、板金製の脚片２６を備えている。そして、受光モジュール２は、受光窓２５の前方だけでなく、その受光窓２５を起点としてその前方の一定の開き角度領域内に位置する箇所から発信された制御用光信号を受け得る性能を有している。この受光モジュール２は、図７又は図８のように、上記操作つまみ３と共に、その操作つまみ３の偏心箇所に、その脚片２６を介して回転可動板４に取り付けられている。したがって、操作つまみ３をその軸線回りに回転させると、受光モジュール２が電極２１を伴って操作つまみ３の軸線回りを回転して受光窓２５の向きが変わる。
【００２５】
図２又は図４のように回転可動板４は円形であって、その周方向の１箇所に外向きに突き出た突片４１を一体に備えている。また、この回転可動板４に取り付けられた上記受光モジュールの３本の電極２１が、この回転可動板４に並べて形成されている３つの通孔４２のそれぞれに個別に挿通されてその下側に延び出ている。なお、トップカバー１１の孔部１５の孔縁は、回転可動板４１に当接して操作つまみ３の抜出しを阻止することに役立っている。
【００２６】
図２、図７又は図８のように、回転可動板４に対応して仕切り板５が配備されている。図５のように、この仕切り板５には、回転可動板４が上下方向で挿抜可能な円形の開口５１が形成されていると共に、その開口５の等角度おきの４箇所に上記突片４１が上下方向で挿抜可能な凹所５２を備えている。したがって、上記回転可動板４は、突片４１が４箇所の凹所５２のいずれかに位置合わせされてその凹所に挿入されたときに、仕切り板５の開口５１内に落ち込むことによってその開口５１に挿入される。
【００２７】
仕切り板５は、板状のストッパ部材６によって支えられており、そのストッパ部材６には受光モジュール２の電極２１を挿通させ、かつ、操作つまみ３の手動回転操作に伴うその電極２１の回転を許容する開口６１が形成されている。そして、ストッパ部材６の下側に配線基板７が配備されていて、この配線基板７とその下側の固定板８との間にコイルばねでなるばね体９が配備されて、このばね体９によって配線基板７が上方に常時弾発付勢されている。そして、図７のように配線基板７が上記ストッパ部材６に当接することによってその配線基板７の上限位置が規制されている。
【００２８】
図６のように、上記配線基板７は、受光モジュール２の電極２１の回転経路Ｌに沿う等角度おきの４箇所、すなわち操作つまみ３の回転方向等角度おきの４箇所に上記電極２１に対応する固定側電極７１，７２，７３，７４を備えていて、それらの各固定側電極７１〜７４に、受光モジュール２の電極２１を形成している出力用電極２２、グランド用電極２３及び電源用電極２４に個別に対応する３つの電極ａ，ｂ，ｃが含まれている。そして、４箇所の固定側電極７１〜７４の個々に対しては、受光モジュール２の電極２１が選択的に接触可能になっている。
【００２９】
以上の構成において、受光モジュール２が待機モードのときには、図７のように回転可動板４の突片４１が仕切り板５の上に載架されていて、この状態では、受光モジュール２の電極２１が配線基板７から離れた浮き上がり位置に保持されている。
【００３０】
この状態から操作つまみ３をオペレータが手動で回転操作して回転可動板４の突片４１を仕切り板５のいずれか１つの凹所５２に位置合わせして操作つまみ３を押し下げるか、あるいは、操作つまみ３から指を離すと、図８のように、突片４１がその凹所５２に挿入されて回転可動板４が仕切り板５の開口５１に挿入される。そのために、受光モジュール２の電極２１が、配線基板７側の１つの固定側電極、たとえば固定側電極７１に接触して受光モジュール２が動作モードに切り換わる。そして、受光モジュール２が動作モードに切り換わったときには、受光モジュール２を有する操作つまみ３や回転可動板４の重量が配線基板７に下向きに加わるので、配線基板７がばね体９のばね力に抗して下降し、そのばね体９のばね力と上記重量とがバランスする。
【００３１】
こうして受光モジュール２が動作モードに保持されているときには、受光窓２５の前方だけでなく、その受光窓２５を起点としてその前方の一定の開き角度領域内に位置する箇所から発信された制御用光信号を受け得る。したがって、そのような角度領域内でオペレータがリモートコントローラを使って制御用光信号を発信すると、その光信号を受光モジュール２が受けて所定の制御が行われる。
【００３２】
この実施形態では、仕切り板５の開口５１の等角度おきの４箇所に凹所５２が形成されていて、それらの各凹所５２の１つに選択的に回転可動板４の突片４１を挿入可能な構成になっているので、オペレータが操作つまみ３を手動で回転操作して突片４１をどの凹所５２に挿入させるかによって受光モジュール２の動作モードでの受光窓２５の指向方向を４方向に切り換えることが可能である。したがって、図９のように、たとえば受光モジュール２が前方を指向しているにはその前方でリモートコントローラ１００を操作することによってプロジェクタの制御が可能になる。また、同図に仮想線で示したように、オペレータがリモートコントローラ１００をプロジェクタの左側に操作することを要するときには、あらかじめ操作つまみ３を回転操作して受光モジュール２の動作モードでの指向方向を左方に定めておけばよい。さらに、受光モジュール２の動作モードでの指向方向をプロジェクタの後方や右方に定めておけば、オペレータはプロジェクタの後方や右方に位置してリモートコントローラを操作することが可能である。これらの場合に、受光モジュール２は、受光窓２５を起点としてその前方の一定の開き角度領域内に位置する箇所から発信された制御用光信号を受け得るものであるので、受光モジュール２の指向方向を前後左右の４箇所に定めることができるようになっているこの実施形態のプロジェクタでは、図９に示したＡ，Ｂ，Ｃ，Ｄの全方位からのリモートコントローラの操作が可能になる。なお、図９において矢印Ｒは操作つまみ３の手動回転操作方向を示している。
【００３３】
また、この実施形態では、操作つまみ３を手動で回転操作するときには、回転可動板４を仕切り板５の開口５１から抜き出して仕切り板５の上方で回転させるようになっているので、操作つまみ３の回転中には、受光モジュール２の電極２１が配線基板７から離れて浮き上がっている。そのために、電極２１が配線基板７の固定側電極７１〜７４と擦れ合ってそれらを傷付けるという事態が起こり得ない。
【００３４】
図１０は本発明の他の実施形態に係る受光部の待機モードでの概略断面図、図１１は受光部の動作モードでの概略断面図、図１２は同実施形態に係る仕切り板５を下側から見た概略斜視図、図１３は作用説明図である。
【００３５】
この実施形態では、仕切り板５の構成が既述したものと異なっている。すなわち、この実施形態に係る仕切り板５は、図１２又は図１３のように、円形の開口５１の周囲等角度おきの４箇所に設けられた凹所５３のそれぞれの片側に下向きに突き出たリブ状の位置決め片５４を有していると共に、各凹所５３の相互間で仕切り板５の裏側に具備された位置決めリブ５５とを備えている。そして、回転可動板４の突片４１が４箇所の各凹所５３に選択的に上下方向で挿抜可能であり、しかも、回転可動板４自体は仕切り板５の開口５１に上下方向で挿抜可能である。また、図１０又は図１１のように、仕切り板５の下側には、その仕切り板５の凹所５３に挿通させた回転可動板４の突片４１の回転を許容するスペースＳが確保されている。
【００３６】
この構成であると、回転可動板４の突片４１がいずれかの凹所５３に挿通されて回転可動板４が仕切り板５の開口５１の下側に突き出たときには、受光モジュール２の電極２１が配線基板７の板面に接触してその配線基板７をばね体９の付勢に抗して押し下げ、突片４１が上記スペースＳ内に位置するようになる。そして、突片４１が上記スペースＳ内に位置しているときにオペレータが操作つまみ３を回転させて図１３の仮想線のように突片４１を位置決めリブ５５に当接させたときには、その突片４１がその位置で位置決めされて図１１のように受光モジュール２の電極２１が配線基板７のいずれかの固定側電極７１に接触して動作モードに切り換わる。そのため、オペレータが操作つまみ３から手を離すと、ばね体９のばね力により突片４１がストッパ部材６に押し付けられて電極２１と固定側電極７１とが弾接した状態を保つ。
【００３７】
その他の構成は図１〜図８で説明したところと同様であるので、説明の重複を回避するためにその詳細説明を省略する。
【００３８】
この実施形態のプロジェクタによっても、図９で説明したところと同様に、同図のＡ，Ｂ，Ｃ，Ｄの全方位からのリモートコントローラの操作が可能になる。図１３において矢印Ｒ１は操作つまみ３の手動回転操作方向を示している。なお、この実施形態において、位置決め片５４は、突片４１を凹所５３から上方へ引き出すときにその突片４１を凹所５３に対して位置合わせすることに役立つ。
【図面の簡単な説明】
【００３９】
【図１】本発明の実施形態に係るプロジェクタの概略外観図である。
【図２】受光部構成部材の分解斜視図である。
【図３】受光モジュールの正面図である。
【図４】回転可動板の平面図である。
【図５】仕切り板の平面図である。
【図６】配線基板の固定側電極のパターン図である。
【図７】受光部の待機モードでの概略断面図である。
【図８】受光部の動作モードでの概略断面図である。
【図９】作用説明図である。
【図１０】本発明の他の実施形態に係る受光部の待機モードでの概略断面図である。
【図１１】受光部の動作モードでの概略断面図である。
【図１２】仕切り板を下側から見た概略斜視図である。
【図１３】作用説明図である。
【符号の説明】
【００４０】
２  受光モジュール
３  操作つまみ
４  回転可動板
５  仕切り板
６  ストッパ部材
７  配線基板
９  ばね体
１１  トップカバー
１５  孔部
２１  受光モジュールの電極
４１  突片
５１  開口
５２，５３  凹所
５５  位置決めリブ
７１〜７４  固定側電極
１００  リモートコントローラ
Ｓ  スペース
【図１】
2006317850.tif 000003
【図２】
2006317850.tif 000004
【図３】
2006317850.tif 000005
【図４】
2006317850.tif 000006
【図５】
2006317850.tif 000007
【図６】
2006317850.tif 000008
【図７】
2006317850.tif 000009
【図８】
2006317850.tif 000010
【図９】
2006317850.tif 000011
【図１０】
2006317850.tif 000012
【図１１】
2006317850.tif 000013
【図１２】
2006317850.tif 000014
【図１３】
2006317850.tif 000015